(57)【要約】【課題】ＳＴＡの送信性能がＡＰの送信性能に比較して極めて大きい場合にも、データエラーを低減し、スループットの低下を防止してＳＴＡとＡＰとの通信を可能とする。【解決手段】図1(a)に示すように、通信開始時、STA22は、11Mbpsの速度のCCKと12Mbpsの度のOFDMとの変調信号を使用してAP21にアクセス要求を行う。これを受信したAP21は、図1(b)に示すように、応答に速度の速い12MbpsのOFDM変調による信号を使用する。AP21の送信性能が低いため、STA22は、かろうじて、この応答信号を受信できる。STA22は、OFDMの変調通信のエラーレートを確認し、エラーレートが予め設定した値より低下し他場合、図1(c)に示すように、11Mbpsの信号でAP21からの応答に対する返信の通信を行う。その際、STA22は、AP21への応答に対する返信の通信フレーム内に通信レートを11Mbpsにすることを設定し、AP21に、図1(d)に示すように、以後のパケットの送信を11Mbps伝送行わせる。【選択図】      図１
2005269360.tif 000002
【特許請求の範囲】
【請求項１】
ＣＣＫ方式の変調方式とＯＦＤＭの変調方式とを使用してアクセスポイントと端末装置との間での通信を行う無線通信方法において、前記端末装置は、通信速度を決める際、通信方法を決定してアクセスポイントに通知し、前記アクセスポイントが通知された通信方法に従うことを特徴とする無線通信方法。
【請求項２】
前記端末装置は、ＯＦＤＭの変調方式による通信のエラーレートを確認し、エラーレートが予め設定した値より低下した場合に、アクセスポイントに対してＣＣＫ方式の変調方式による通信への変更を通知することを特徴とする請求項１記載の無線通信方法。
【請求項３】
前記ＯＦＤＭの変調方式の通信速度が１２Ｍｂｐｓであり、ＣＣＫの変調方式の通信速度が１１Ｍｂｐｓであることを特徴とする請求項１または２記載の無線通信方法。
【請求項４】
ＣＣＫ方式の変調方式とＯＦＤＭの変調方式とを使用してアクセスポイントと間での通信を行う端末装置において、前記端末装置は、通信速度を決める際、通信方法を決定してアクセスポイントに通知し、前記アクセスポイントに通知した通信方法に従わせる通知手段を備えることを特徴とする端末装置。
【請求項５】
前記端末装置は、ＯＦＤＭの変調方式による通信のエラーレートを確認する手段を備え、前記アクセスポイントへの通知手段は、確認したエラーレートが予め設定した値より低下した場合に通信方法の変更を通知することを特徴とする請求項４記載の端末装置。
【請求項６】
前記ＯＦＤＭの変調方式の通信速度が１２Ｍｂｐｓであり、ＣＣＫの変調方式の通信速度が１１Ｍｂｐｓであることを特徴とする請求項４または５記載の端末装置。
【発明の詳細な説明】
【技術分野】
【０００１】
本発明は、無線通信方法及び端末装置に係り、特に、無線ＬＡＮにおけるアクセスポイント（ＡＰ）と該ＡＰを利用する端末装置（ステーション、ＳＴＡ）との間での通信に使用して好敵な無線通信方法及び端末装置に関する。
【背景技術】
【０００２】
近年、公共的な空間内、商店等の店舗内に、無線ＬＡＮのアクセスポイント（ＡＰ）が設けられ、一般のユーザがそれらのＡＰを利用して各種の情報サービス等を受けることが可能となってきている。
【０００３】
一般に、無線ＬＡＮのＡＰへのアクセス行う端末装置（ＳＴＡ）は、ＰＣ、ＰＤＡ等の携帯可能な情報処理装置である。そして、ＡＰとＳＴＡとの間の通信は、１１Ｍｂｐｓの通信速度によるＣＣＫ変調による通信、あるいは、１２Ｍｂｐｓの通信速度によるＯＦＤＭ変調による通信により行われる。このため、ＡＰとＳＴＡとは、何れも、前述の２つの通信方式に対応可能に構成されるている。このような２種の通信方式を切り替えて通信を行うことを可能とした従来技術として、例えば、特許文献１等に記載された技術が知られている。
【０００４】
図２はＡＰとＳＴＡとの間での従来技術による通信について説明する図であり、図２を参照して、従来技術による無線通信方法について説明する。図２において、２１はＡＰ、２２はＳＴＡである。なお、ここで説明する例は、ＳＴＡの送信性能（送信電力）がＡＰの送信性能（送信電力）に比較して極めて大きいものであるとしている。
【０００５】
図２（ａ）に示すように、通信の開始時、ＳＴＡ２２は、１１Ｍｂｐｓの通信速度によるＣＣＫ変調による信号と、１２Ｍｂｐｓの通信速度によるＯＦＤＭ変調による信号との両方の信号を使用してＡＰ２１に対するアクセス要求を行う。この場合、ＳＴＡ２２の送信性能がよいため、ＡＰ２１は、ＣＣＫ変調による信号とＯＦＤＭ変調による信号とによるアクセス要求の両者を充分に受信することができる。
【０００６】
アクセス要求を受信したＡＰ２１は、図２（ｂ）に示すように、その応答を行う場合に、通常、伝送速度の速い１２Ｍｂｐｓの通信速度によるＯＦＤＭ変調による信号を使用する。しかし、ＡＰ２１の送信性能が低いため、ＳＴＡ２２は、かろうじて、この１２Ｍｂｐｓの応答信号のパケットを受信することができるが、１１Ｍｂｐｓの通信速度によるＣＣＫ変調による信号を使用する方がスループットがよいと判断して、１１Ｍｂｐｓの通信速度による信号を用いて通信を続けようとして、１１Ｍｂｐｓの通信速度による信号でＡＰ２１からの応答に対する返信の通信を行う。
【０００７】
ＡＰ２１は、ＳＴＡからの返信の受信が非常に良好なため、図２（ｃ）に示すように、やはり、伝送速度の速い１２Ｍｂｐｓの通信速度によるＯＦＤＭ変調による信号を使用して、次の、パケットの送信を行う。
【特許文献１】特開２００２−３３７１４号公報
【発明の開示】
【発明が解決しようとする課題】
【０００８】
前述で説明した従来技術による無線通信方法は、送信性能がＳＴＡより低いＡＰが送信速度を決定するように働き、ＳＴＡがＡＰからの通信信号を受信することができなくなる場合が生じてしまい、データエラーとなることが多くスループットを低下させる場合があるという問題点を有している。
【０００９】
本発明の目的は、前述した従来技術の問題点を解決し、ＳＴＡの送信性能がＡＰの送信性能に比較して極めて大きい場合にも、データエラーを低減し、スループットの低下を防止することができる無線通信方法及び端末装置を提供することにある。
【課題を解決するための手段】
【００１０】
本発明によれば前記目的は、ＣＣＫ方式の変調方式とＯＦＤＭの変調方式とを使用してアクセスポイントと端末装置との間での通信を行う無線通信方法において、前記端末装置が、通信速度を決める際、通信方法を決定してアクセスポイントに通知し、前記アクセスポイントに通知された通信方法に従わせることにより達成される。
【００１１】
また、前記目的は、前記端末装置が、ＯＦＤＭの変調方式による通信のエラーレートを確認し、エラーレートが予め設定した値より低下した場合に、アクセスポイントに対してＣＣＫ方式の変調方式による通信への変更を通知することにより達成される。
【００１２】
また、前記目的は、前記ＯＦＤＭの変調方式の通信速度が１２Ｍｂｐｓであり、ＣＣＫの変調方式の通信速度が１１Ｍｂｐｓであることにより達成される。
【００１３】
さらに、前記目的は、ＣＣＫ方式の変調方式とＯＦＤＭの変調方式とを使用してアクセスポイントと間での通信を行う端末装置において、前記端末装置が、通信速度を決める際、通信方法を決定してアクセスポイントに通知し、前記アクセスポイントに通知した通信方法に従わせる通知手段を備えることにより達成される。
【００１４】
また、前記目的は、前記端末装置が、ＯＦＤＭの変調方式による通信のエラーレートを確認する手段を備え、前記アクセスポイントへの通知手段が、確認したエラーレートが予め設定した値より低下した場合に通信方法の変更を通知することにより達成される。
【００１５】
また、前記目的は、前記ＯＦＤＭの変調方式の通信速度が１２Ｍｂｐｓであり、ＣＣＫの変調方式の通信速度が１１Ｍｂｐｓであることにより達成される。
【発明の効果】
【００１６】
本発明によれば、ＳＴＡの送信性能がＡＰの送信性能に比較して極めて大きい場合にも、データエラーを低減し、スループットの低下を防止することができる。
【発明を実施するための最良の形態】
【００１７】
以下、本発明による無線通信方法及び端末装置の実施形態を図面により詳細に説明する。
【００１８】
図１はＡＰとＳＴＡとの間での本発明の一実施形態による通信方法を説明する図であり、図の符号は図１の場合と同一である。また、構成の実施形態は、従来技術の場合と同様に、ＳＴＡの送信性能（送信電力）がＡＰの送信性能（送信電力）に比較して極めて大きいものであるとしている。
【００１９】
図１（ａ）に示すように、通信の開始時、ＳＴＡ２２は、１１Ｍｂｐｓの通信速度によるＣＣＫ変調による信号と、１２Ｍｂｐｓの通信速度によるＯＦＤＭ変調による信号との両方の信号を使用してＡＰ２１に対するアクセス要求を行う。この場合、ＳＴＡ２２の送信性能がよいため、ＡＰ２１は、ＣＣＫ変調による信号とＯＦＤＭ変調による信号とによるアクセス要求の両者を充分に受信することができる。
【００２０】
アクセス要求を受信したＡＰ２１は、図１（ｂ）に示すように、その応答を行う場合に、通常、伝送速度の速い１２Ｍｂｐｓの通信速度によるＯＦＤＭ変調による信号を使用する。しかし、ＡＰ２１の送信性能が低いため、ＳＴＡ２２は、かろうじて、この１２Ｍｂｐｓの応答信号のパケットを受信することができたものとする。
【００２１】
この場合、ＳＴＡ２２は、ＯＦＤＭの変調方式による通信のエラーレートを確認し、エラーレートが予め設定した値より低下して、１１Ｍｂｐｓの通信速度によるＣＣＫ変調による信号を使用する方がスループットがよいか否かを判断する。
【００２２】
そして、１１Ｍｂｐｓの通信速度による信号を用いて通信を行った方がスループットがよいと判断した場合、ＳＴＡ２２は、図１（ｃ）に示すように、１１Ｍｂｐｓの通信速度による信号でＡＰ２１からの応答に対する返信の通信を行う。その際、ＳＴＡ２２は、ＡＰ２１への応答に対する返信の通信フレーム内に通信レートを１１Ｍｂｐｓにすることを設定する。
【００２３】
ＡＰ２１は、ＳＴＡからの返信の通信フレームに、通信レートを１１Ｍｂｐｓにすることが設定されていることを検出して、図１（ｄ）に示すように、以後のパケットの送信を、１１Ｍｂｐｓの通信速度によるＣＣＫ変調による信号を使用して行う。
【００２４】
なお、前述ではＳＴＡ２２の構成について図示して説明していないが、ＳＴＡ２２は、無線ＬＡＮによる通信機能を備えたよく知られたＰＣ、ＰＤＡ等であってよく、ＡＰからの受信データのエラーレートを確認する手段と、確認したエラーレートが予め設定した値より低下したか否かを判定する手段と、送信フレーム内に通信レート設定する手段とをソフトウェアにより、あるいは、ハードウェアにより構成して設けておけばよい。
【００２５】
前述した本発明の実施形態によれば、ＳＴＡの送信性能がＡＰの送信性能に比較して極めて大きい場合にも、データエラーを低減し、スループットの低下を防止して、ＡＰとＳＴＡとの間の通信を行うことができる。
【図面の簡単な説明】
【００２６】
【図１】ＡＰとＳＴＡとの間での本発明の一実施形態による通信方法を説明する図である。
【図２】ＡＰとＳＴＡとの間での従来技術による通信について説明する図である。
【符号の説明】
【００２７】
２１  アクセスポイント（ＡＰ）
２２  端末装置（ＳＴＡ）
【図１】
2005269360.tif 000003
【図２】
2005269360.tif 000004